(57)【特許請求の範囲】
【請求項１】
本体と、前記本体に対して略水平方向に挿入引き出し可能に装着し、上面に操作ボタンを配置され、引き出した状態で、所定以上の荷重が作用したときに下方に傾動し、元の状態に復帰可能な構成とした操作ボックスとを備え、前記操作ボックスを収納した状態で、前記操作ボタンのうち使用頻度の高い操作ボタンは本体の外側に位置し、複数の使用頻度の低い操作ボタンは本体内に位置するように配置し、前記操作ボックスを収納した状態において前記使用頻度の高い操作ボタンの操作が可能で、前記操作ボックスを途中まで引き出した状態において前記使用頻度の高い操作ボタンおよび複数の前記使用頻度の低い操作ボタンのうちの一部の操作ボタンの操作が可能で、前記操作ボックスを引き出した状態において全ての操作ボタンの操作が可能であるように構成したことを特徴とする衛生洗浄装置。
【請求項２】
操作ボタンは、本体の外側から使用頻度の高い順に配設したことを特徴とする請求項１記載の衛生洗浄装置。
【請求項３】
操作ボックスを本体に収納した状態で、操作ボックスの本体側面より突出した部分にリモコンからの信号の受信部を配設したことを特徴とする請求項１又は２記載の衛生洗浄装置。
【請求項４】
操作ボックスをその本体外側に引き出した部分が下方に傾動可能に摺動自在に支持する摺動支持部と、操作ボックスを略水平姿勢で摺動自在にガイドするともに、本体外側に引き出した部分に所定以上の荷重が作用したときにガイド解除位置に弾性的に変形可能なフック状ガイド片とを設けたことを特徴とする請求項１記載の衛生洗浄装置。
【請求項５】
操作ボックスの本体内側部分に、本体外側に引き出した部分に所定以上の荷重が作用したときに復帰可能に屈折する屈折部を設けたことを特徴とする請求項１記載の衛生洗浄装置。
【請求項６】
操作ボックスはポリプロピレン樹脂で構成し、操作ボックスの屈折部をヒンジ構造としたことを特徴とする請求項５記載の衛生洗浄装置。
【発明の詳細な説明】
【０００１】
【発明の属する技術分野】
本発明は、トイレにおける温水洗浄便座などの衛生洗浄装置に関するものである。
【０００２】
【従来の技術】
従来、温水洗浄便座においては、リモコンによって操作を行うようにしたものが一般的であり、そのリモコン信号（赤外線信号）の受信部は本体の前面下部や側面や背面の適所に配設されている。また、通常使用しない設定機能のためや、リモコンが電池切れ等で使用できない場合のために、本体の側面等に外観上からカバーで開閉可能に覆われた凹部を形成し、その凹部内に操作ボタンが配置されている。
【０００３】
また、省エネルギーの観点から長時間にわたって使用しない場合の待機電力の消費を節約すために、電源スイッチを切ることが推奨されており、そのための電源スイッチを上記凹部内や本体の側面等に配設したものが知られている。
【０００４】
【発明が解決しようとする課題】
しかしながら、上記従来の構成では、省エネルギーのために頻繁に電源スイッチをオン・オフしようとしても、便座に座った姿勢のままで簡単に電源スイッチの操作を行うことができず、操作が面倒であるために電源スイッチを有効に利用して省エネルギーを図ることが困難であるという問題があった。
【０００５】
また、リモコンの電池切れ等のときにも同様に操作ボタンの操作がしにくいという問題があり、また使用者の体格や姿勢や座り位置や持物などによってはリモコン信号が受信部で受信され難い場合が生じるなどの問題があった。
【０００６】
本発明は、上記従来の問題点に鑑み、操作頻度の高い操作ボタンの操作を容易に行え、またその他の操作ボタンの操作も比較的容易で、かつリモコンの受信も確実に行える衛生洗浄装置を提供することを目的としている。
【０００７】
【課題を解決するための手段】
本発明の衛生洗浄装置は、本体と、前記本体に対して略水平方向に挿入引き出し可能に装着し、上面に操作ボタンを配置され、引き出した状態で、所定以上の荷重が作用したときに下方に傾動し、元の状態に復帰可能な構成とした操作ボックスとを備え、前記操作ボックスを収納した状態で、前記操作ボタンのうち使用頻度の高い操作ボタンは本体の外側に位置し、複数の使用頻度の低い操作ボタンは本体内に位置するように配置したものであり、前記操作ボックスを収納した状態において前記使用頻度の高い操作ボタンの操作が可能で、前記操作ボックスを途中まで引き出した状態において前記使用頻度の高い操作ボタンおよび複数の前記使用頻度の低い操作ボタンのうちの一部の操作ボタンの操作が可能で、前記操作ボックスを引き出した状態において全ての操作ボタンの操作が可能である。
【０００８】
また、操作ボックスを本体に対して略水平方向に挿入引き出し可能に装着し、操作ボックスの上面に操作ボタンを配置すると、引き出し式の操作ボックスの上面の本体から突出した部分に使用頻度の高い操作ボタンが位置しているので、さらに操作が容易となり、またその他の操作ボタンも操作ボックスを引き出すことによって容易に操作することができる。
【０００９】
さらに、操作ボタンを本体の外側から使用頻度の高い順に配設すると、使用頻度の高いものほど操作がし易く、さらに使い勝手が良くなる。
【００１０】
また、操作ボックスを本体に収納した状態で、操作ボックスの本体側面より突出した部分にリモコンからの信号の受信部を配設すると、操作ボックスの本体側面より突出した部分、特に引き出し式の操作ボックスの上面に受信部が位置することにより、リモコン信号が受信し易く、さらに受信がし難い場合に操作ボックスを引き出すことによって確実に受信できる。
【００１１】
また、操作ボックスを引き出した状態で、所定以上の荷重が作用したときに復帰可能に下方に傾動するように構成すると、誤って操作ボックスに大きな力を加えた時にも操作ボックスの破壊を効果的に防止できる。
【００１２】
具体的には、操作ボックスをその本体外側に引き出した部分が下方に傾動可能に摺動自在に支持する摺動支持部と、操作ボックスを略水平姿勢で摺動自在にガイドするともに、本体外側に引き出した部分に所定以上の荷重が作用したときにガイド解除位置に弾性的に変形可能なフック状ガイド片とを設けると、フック状ガイド片の弾性変形が生じる荷重までは操作ボックスを安定して略水平姿勢で摺動させることができ、また復帰操作することによって再び安定した摺動状態が得られ、優れた使用感が得られる。
【００１３】
又は、操作ボックスの本体内側部分に、本体外側に引き出した部分に所定以上の荷重が作用したときに復帰可能に屈折する屈折部を設けると、さらには操作ボックスをポリプロピレン樹脂で構成し、操作ボックスの屈折部をヒンジ構造とすると、簡単な構成で上記操作ボックスの破壊を防止効果が得られる。
【００１４】
【発明の実施の形態】
以下、本発明の衛生洗浄装置を適用した温水洗浄便座の一実施形態について図１〜図３を参照して説明する。
【００１５】
図１、図２において、１は温水洗浄便座の本体、２は便座、３は便蓋であり、４はトレイ室の側壁に設置されたリモコンである。本体１の一側面１ａには操作ボックス５が、図１（ａ）及び図２に示すように本体１内に収納した状態と、図１（ｂ）に示すように本体１の一側面１ａから引き出した状態との間で摺動可能に装着されている。
【００１６】
操作ボックス５は、本体１内に収納した状態と引き出した状態との間で略水平に摺動自在に本体１に支持された引き出し式で、本体１内に収納した状態でもその外側端部５ａは本体１の一側面１ａから突出している。この操作ボックス５の外側端部５ａの上面には電源スイッチボタン６と、リモコン４からのリモコン信号を受信する受信部７とが設けられている。また、操作ボックス５を引き出した状態で本体１から露出する上面には、外側からシャワー温度設定切換ボタン８及び便座温度設定切換ボタン９と、それらの温度設定状態を表示する設定温度表示ＬＥＤユニット１０、１１と、おしり洗浄スイッチボタン１２及びビデスイッチボタン１３が順に配設されている。これらの操作ボタン６、８、９、１２、１３は、その使用頻度に応じて外側から配設している。
【００１７】
操作ボックス５を摺動自在に支持する機構を図３に示す。図３において、操作ボックス５の外側端部５ａを除く両側にガイド条１５が突設され、さらに本体１の内側に延長する延長部１５ａが設けられ、その先端外側面に係合突起１６が設けられている。この係合突起１６は、操作ボックス５を本体１内に収納したときに係止突片１７に係合して引き出し可能に係止するように構成されている。
【００１８】
本体１内の一側面１ａに臨む位置には、ガイド突条１５を水平方向に摺動自在に、かつ操作ボックス５の本体１外側に引き出した部分を下方に傾動可能に支持するように、短い水平ガイド部１８ａと傾斜ガイド部１８ｂとを有する摺動支持部１８が設けられている。また、この摺動支持部１８の内側位置には、操作ボックス５を略水平姿勢で摺動自在にガイドするようにガイド突条１５及びその延長部１５ａに係合するとともに、操作ボックス５の本体１外側に引き出した部分に矢印Ａの示す如く所定以上の荷重が作用したときに矢印Ｂで示すようにガイド解除位置に弾性的に変形可能なフック状ガイド片１９が設けられている。また、フック状ガイド片１９の上面には、ガイド条１５又はその延長部１５ａを復帰させる際に係合することによってこのフック状ガイド片１９を一旦ガイド解除位置に弾性変形させる傾斜ガイド面１９ａが形成されている。
【００１９】
２０は、操作ボックス５を本体１内に収納した状態で、その内側端部に形成された係合切欠５ｂに嵌入係合するとともに、その上面に係合する断面Ｔ字状のストッパである。
【００２０】
以上の構成において、図１（ａ）に示すように、操作ボックス５を本体１内に収納した状態で、その外側端部５ａが本体１の一側面１ａの外側に突出し、その上面に省エネルギーのために頻繁にオン・オフ操作することが推奨されて使用頻度の高い電源スイッチボタン６が位置しているので、使用者は便座２に座ったままの姿勢でその操作を容易に行うことができ、操作が面倒なために操作しないというようなことを無くすことができ、省エネルギーを達成することができる。また、この操作ボックス５の外側端部５ａの上面にリモコン４からの信号の受信部７を配設しているので、リモコン信号が受信され難い場合が生じる恐れが殆ど無くなり、リモコン信号の受信が確実になされ、使い勝手が良くなる。さらに、受信がし難い事態が生じた場合には、操作ボックス５を引き出すことによって確実に受信できる。
【００２１】
また、洗浄用のシャワーの温度や便座２の温度設定を変更する場合には、操作ボックス５を途中まで引き出すことによって、シャワー温度設定切換ボタン８や便座温度設定切換ボタン９及びそれらの設定温度表示ＬＥＤユニット１０、１１が本体１の一側面１ａの外側に現れるので、同じく便座２に座ったままの姿勢でその操作を容易に行うことができる。
【００２２】
さらに、リモコン４の電池切れ等の事態が生じた場合にも、図１（ｂ）に示すように、操作ボックス５を完全に引き出すことによって、おしり洗浄スイッチボタン１２やビデスイッチボタン１３が本体１の一側面１ａの外側に現れるので、同じく便座２に座ったままの姿勢でその操作を容易に行うことができる。このとき、係合突起１６がフック条ガイド片１９に係合してそれ以上の引き出しが防止される。
【００２３】
また、このように操作ボックス５を引き出した状態では、図３に示すように、フック状ガイド片１９の弾性変形が生じる荷重までは操作ボックス５を安定して略水平姿勢で収納・引き出し摺動させることができるとともに、所定以上の荷重が加わると操作ボックス５が矢印Ｃの如く下方に傾動し、これによって操作ボックス５の破壊が防止されかつそれ以上の荷重を負荷してはいけないことが明示されることになる。また、操作ボックス５を矢印Ｃとは反対方向に持ち上げると、ガイド条１５又はその延長部１５ａとフック状ガイド片１９の傾斜ガイド面１９ａとの係合によりフック状ガイド片１９が弾性変形して元の状態に復帰し、再び安定した摺動状態が得られ、優れた使用感が得られる。
【００２４】
次に、操作ボックス５を摺動自在に支持する機構の他の実施形態について図４を参照して説明する。なお、上記実施形態と同一の構成要素については、同一の参照番号を付して説明を省略し、相違点のみを説明する。
【００２５】
本実施形態では、操作ボックス５をポリプロピレン樹脂で構成し、この操作ボックス５の両側のガイド条１５とその延長部１５ａとの間にヒンジ構造の屈折部２１が形成されている。この屈折部２１は、本体１の外側に引き出した部分に所定以上の荷重が作用したときに復帰可能に屈折する構成されている。また、本体１内の一側面１ａに臨む摺動支持部１８は水平ガイド部１８ａのみから成り、傾斜ガイド部１８ｂは設けていない。
【００２６】
このような構成によっても、本体１から操作ボックス５を引き出した状態で上方から大きな荷重が作用した場合に、上記実施形態と同様に操作ボックス５の破壊を防止することができる。
【００２７】
【発明の効果】
本発明の衛生洗浄装置によれば、電源スイッチボタン等の使用頻度の高い操作ボタンの操作を容易に行うことができ、操作が面倒なために操作しないというようなことを無くすことができ、電源スイッチボタンを頻繁に操作して省エネルギーを達成することができ、またその他の操作ボタンも操作ボックスを引き出すことによって操作可能である。
【００２８】
また、操作ボックスを本体に対して略水平方向に挿入引き出し可能に装着し、その上面に操作ボタンを配置すると、引き出し式の操作ボックスの上面の本体が突出した部分に使用頻度の高い操作ボタンが位置しているので、さらに操作が容易となり、またその他の操作ボタンも操作ボックスを引き出すことによって容易に操作することができる。
【００２９】
さらに、操作ボタンを本体の外側から使用頻度の高い順に配設すると、使用頻度の高いものほど操作がし易く、さらに使い勝手が良くなる。
【００３０】
また、操作ボックスを本体に収納した状態で、操作ボックスの本体側面より突出した部分にリモコンからの信号の受信部を配設すると、操作ボックスの本体側面より突出した部分、特に引き出し式の操作ボックスの上面に受信部が位置することにより、リモコン信号が受信し易く、さらに受信がし難い場合に操作ホックスを引き出すことによって確実に受信できる。
【００３１】
また、操作ボックスを引き出した状態で、所定以上の荷重が作用したときに復帰可能に下方に傾動するように構成すると、誤って操作ボックスに大きな力を加えた時にも操作ボックスの破壊を効果的に防止できる。
【００３２】
また、操作ボックスをその本体外側に引き出した部分が下方に傾動可能に摺動自在に支持する摺動支持部と、操作ボックスを略水平姿勢で摺動自在にガイドするともに、本体外側に引き出した部分に所定以上の荷重が作用したときにガイド解除位置に弾性的に変形可能なフック状ガイド片とを設けると、所定荷重までは操作ボックスを安定して略水平姿勢で摺動させることができ、また復帰操作することによって再び安定した摺動状態が得られ、優れた使用感が得られる。
【００３３】
また、操作ボックスの本体内側部分に、本体外側に引き出した部分に所定以上の荷重が作用したときに復帰可能に屈折する屈折部を設けると、さらには操作ボックスをポリプロピレン樹脂で構成し、操作ボックスの屈折部をヒンジ構造とすると、簡単な構成で上記操作ボックスの破壊を防止効果が得られる。
【図面の簡単な説明】
【図１】本発明の衛生洗浄装置の一実施形態の要部構成を示し、（ａ）は操作ボックスを本体内に収納した状態の斜視図、（ｂ）は操作ボックスを引き出した状態の斜視図である。
【図２】同実施形態の使用状態を示す全体斜視図である。
【図３】同実施形態における操作ボックスの摺動自在な支持機構の斜視図である。
【図４】本発明の他の実施形態における操作ボックスの摺動自在な支持機構の斜視図である。
【符号の説明】
１  本体
４  リモコン
５  操作ボックス
６  電源スイッチボタン（使用頻度の高い操作ボタン）
７  受信部
８  シャワー温度設定切換ボタン（使用頻度の低い操作ボタン）
９  便座温度設定切換ボタン（使用頻度の低い操作ボタン）
１２  おしり洗浄スイッチボタン（使用頻度の低い操作ボタン）
１３  ビデスイッチボタン（使用頻度の低い操作ボタン）
１５  ガイド条
１８  摺動支持部
１９  フック条ガイド片
２１  屈折部
【図１】
0004354547.tif 000002
【図２】
0004354547.tif 000003
【図３】
0004354547.tif 000004
【図４】
0004354547.tif 000005